【事件の表示】
　特願２０１４−１２１５１２号「遊技機」拒絶査定不服審判事件〔平成２８年　１月　７日出願公開、特開２０１６−　　　１５４号〕について、次のとおり審決する。
【結　論】
　本件審判の請求は、成り立たない。
【理　由】
第１　手続の経緯
　本願は、平成２６年６月１２日の出願であって、平成２７年９月７日付けで手続補正がなされたが、平成２８年３月２９日付けで拒絶査定がなされ、これに対して、平成２８年６月２７日付けで拒絶査定不服審判の請求がなされるとともに手続補正（以下、「本件補正」という。）がなされたものである。 
第２　本件補正についての補正却下の決定
［補正却下の決定の結論］
　本件補正を却下する。
 
［理由］
１．本件補正の概要
　本件補正は特許請求の範囲の請求項１の記載の補正を含むものであり、請求項１の記載は、補正前の、
「【請求項１】
　始動条件の成立により、遊技者に有利な特別遊技を実行するか否かを判定する判定手段と、
　前記判定手段にて前記特別遊技を実行すると判定されると、入賞手段を開放する複数のラウンド遊技からなる前記特別遊技を実行する特別遊技実行手段と、
　前記特別遊技実行手段による前記特別遊技の実行後、遊技者に有利な遊技状態で遊技を制御可能な遊技制御手段と、を備え、
　前記入賞手段は、第１入賞手段、および、入球した遊技球を計数する計数手段、前記特別遊技実行手段による前記特別遊技が継続性を有する構成の下、遊技球が通過することにより前記特別遊技の継続が確定する継続確定手段、及び、遊技球が通過することにより前記遊技制御手段による前記遊技者に有利な遊技状態への移行が確定する移行確定手段を有する第２入賞手段から構成され、
　前記特別遊技実行手段は、所定のラウンド遊技において、前記第２入賞手段を開放するよう構成されていること、
　を特徴とする遊技機。」から、
補正後の
「【請求項１】
　始動条件の成立により、遊技者に有利な特別遊技を実行するか否かを判定する判定手段と、
　前記判定手段にて前記特別遊技を実行すると判定されると、入賞手段を開放する複数のラウンド遊技からなる前記特別遊技を実行する特別遊技実行手段と、
　前記特別遊技実行手段による前記特別遊技の実行後、遊技者に有利な遊技状態で遊技を制御可能な遊技制御手段と、を備え、
　前記入賞手段は、
　第１入賞手段
と、
　
入
ラウンド
ラウンド
と、
　前記特別遊技実行手段は、所定のラウンド遊技において、
前記第１入賞手段又は
すると共に、前記第１入賞手段と前記第２入賞手段とを互いに同時に開放しない
へ補正された（下線部は補正箇所を示す。）。
２．補正の適否
　本件補正によって、請求項１の記載は、上記１．の下線部の構成が変更、追加された。
（１）すなわち、「特別遊技実行手段」における「遊技」の「継続性」について、「特別遊技」を「ラウンド遊技」に補正すると共に、
（２）特別遊技実行手段は、所定のラウンド遊技において、「前記２入賞手段を開放するように構成され」を「前記第１入賞手段又は前記第２入賞手段を開放すると共に、前記第１入賞手段と前記第２入賞手段とを互いに同時に開放しないよう構成され」と補正された。
　審判請求人は審判請求書において、本件補正が新規事項でない旨の説明はしているものの、補正目的については説明していない。
　そこで、まず、上記（１）の補正について検討すると、請求項１の記載全体から見て、特別遊技は１回の大当たりを意味している。したがって、特別遊技実行手段は特別遊技を継続させるのではなく、ラウンドを継続させることは明らかであるから、当該補正は、特許法第１７条の２第５項第３号に規定する「誤記の訂正」を目的とする補正に該当する。そして当該補正は新規事項を追加するものではない。
　
　次に上記（２）の補正について検討すると、「前記第１入賞手段又は前記第２入賞手段を開放すると共に、前記第１入賞手段と前記第２入賞手段とを互いに同時に開放しないよう構成され」は、「所定のラウンド遊技」における「特別遊技実行手段」の構成を限定しているといえる。
　そして、補正後の請求項１に記載された発明は、補正前の請求項１に記載された発明と、産業上の利用分野及び解決しようとする課題が同一であるので、当該補正は、特許法第１７条の２第５項第２号に規定する「特許請求の範囲の減縮」を目的とする補正に該当する。
　そして、当該補正は、新規事項を追加するものではない。
　
３．独立特許要件
　そこで、本件補正後の前記請求項１に記載された発明が特許出願の際独立して特許を受けることができるものであるか否か、すなわち、特許法第１７条の２第６項において準用する同法第１２６条第７項の規定に適合するか否か、について以下に検討する。
（１）本件補正後の請求項１に係る発明
　補正後の請求項１に係る発明（以下、「本願補正発明」という。）は、上記１．の補正の概要において示した次のとおりのものである（Ａ〜Ｇについては、審判請求書における請求人の分説にしたがって当審で付与した。）。
「【請求項１】
Ａ　始動条件の成立により、遊技者に有利な特別遊技を実行するか否かを判定する判定手段と、
Ｂ　前記判定手段にて前記特別遊技を実行すると判定されると、入賞手段を開放する複数のラウンド遊技からなる前記特別遊技を実行する特別遊技実行手段と、
Ｃ　前記特別遊技実行手段による前記特別遊技の実行後、遊技者に有利な遊技状態で遊技を制御可能な遊技制御手段と、を備え、
Ｄ　前記入賞手段は、
　第１入賞手段と、
Ｅ　入球した遊技球を計数する計数手段、前記特別遊技実行手段による前記ラウンド遊技が継続性を有する構成の下、遊技球が通過することにより前記ラウンド遊技の継続が確定する継続確定手段、及び、遊技球が通過することにより前記遊技制御手段による前記遊技者に有利な遊技状態への移行が確定する移行確定手段を有する第２入賞手段と、から構成され、
Ｆ　前記特別遊技実行手段は、所定のラウンド遊技において、前記第１入賞手段又は前記第２入賞手段を開放すると共に、
Ｇ　前記第１入賞手段と前記第２入賞手段とを互いに同時に開放しないよう構成されていること、　を特徴とする遊技機。」
（２）刊行物、先願明細書
（２−１）刊行物１
　本願の出願前に頒布された刊行物である「特開２０１４−１０４１３３号公報」（以下、「刊行物１」という。）には、図面と共に次の事項が記載されている（下線は当審で付した。）。
（ア）「【課題を解決するための手段】
【０００５】
　本態様に係るぱちんこ遊技機は、
　遊技球が入球可能な始動口（例えば、第１主遊技始動口２２１０又は第２主遊技始動口２１１０）と、
　閉状態と開状態とを採り得る第一可変入賞口（例えば、第２大入賞口２２２０）と、
　第一可変入賞口（例えば、第２大入賞口２２２０）に入球した遊技球が入球し得る第一特定領域（例えば、特定領域２２２４）と、
　閉状態と開状態とを取り得る第二可変入賞口（例えば、第１大入賞口２１２０）と、
　第二可変入賞口（例えば、第１大入賞口２１２０）に入球した遊技球が入球し得る第二特定領域（例えば、継続領域２１２４）と
を備え、
　
始動口（例えば、第１主遊技始動口２２１０又は第２主遊技始動口２１１０）への遊技球の入球に基づき、乱数を取得する乱数取得手段（例えば、第１主遊技乱数取得判定実行手段１１２１又は第２主遊技乱数取得判定実行手段１１２２）と、
　前記乱数に基づき、当否判定を実行する当否判定実行手段（例えば、当否抽選手段１１３５）
　
当否判定実行手段（例えば、当否抽選手段１１３５）による当否判定結果が当選である場合、第一可変入賞口（例えば、第２大入賞口２２２０）及び第二可変入賞口（例えば、第１大入賞口２１２０）のいずれかを閉状態から開状態とする遊技であって、第一可変入賞口（例えば、第２大入賞口２２２０）又は第二可変入賞口（例えば、第１大入賞口２１２０）への所定個数の入球又は所定期間が経過するまで閉状態から開状態とし得る遊技である単位遊技（いわゆるラウンドであり、以下同じ）を複数回実行する特別遊技を実行し得る特別遊技実行手段（例えば、特別遊技実行手段１１７３）
　
前記乱数に基づく抽選が実行可能である非特別遊技時の遊技状態として、通常遊技状態と通常遊技状態よりも遊技者にとって有利な特定遊技状態（例えば、いわゆる確率変動遊技状態や時間短縮遊技状態）とを有し、特別遊技の実行終了後において通常遊技状態及び特定遊技状態（例えば、いわゆる確率変動遊技状態や時間短縮遊技状態）のいずれかとする非特別遊技時遊技状態制御手段（例えば、特定遊技制御手段１１８０）
を備え、
　
特別遊技実行手段（例えば、特別遊技実行手段１１７３）は、
　少なくとも初回の単位遊技については第一可変入賞口（例えば、第２大入賞口２２２０）を閉状態から開状態とし得る遊技とし、初回の単位遊技の実行に基づく第一可変入賞口（例えば、第２大入賞口２２２０）への遊技球の有無に拘わらず初回の単位遊技の実行後には次回の単位遊技を実行すると共に、当該次回以降のある単位遊技の実行後において更なる単位遊技の実行が予定されている状況下、当該ある単位遊技が第二可変入賞口（例えば、第１大入賞口２１２０）を閉状態から開状態とし得る遊技であって当該ある単位遊技の実行に基づく第二特定領域（例えば、継続領域２１２４）への入球があった場合には、当該ある単位遊技の実行後において更なる単位遊技を実行する
　
非特別遊技時遊技状態制御手段（例えば、特定遊技制御手段１１８０）は、
　特別遊技の実行中における第一可変入賞口（例えば、第２大入賞口２２２０）を閉状態から開状態とし得る単位遊技の実行に基づく第一特定領域（例えば、特定領域２２２４）への入球があったことを条件として、当該特別遊技の実行終了後において特定遊技状態（例えば、いわゆる確率変動遊技状態や時間短縮遊技状態）に移行させ得る
ことを特徴とするぱちんこ遊技機である。」
（イ）「【０１０１】
　次に、図１６は、図１４におけるステップ２１００のサブルーチンに係る、継続判定遊技実行処理のフローチャートである。はじめに、本実施形態においては、
特別遊技実行中の所定ラウンド（本例では、第２〜１５ラウンド）において、当該特別遊技の残りラウンドの実行可否を決定するための遊技（以下、継続判定遊技と呼ぶことがある）を実行可能に構成
【０１０２】
　他方、ステップ２１０２でＮｏの場合、即ち、継続判定遊技の実行開始直前である場合、まず、ステップ２１０４で、継続判定遊技実行制御手段１１７５は、特別遊技関連情報一時記憶手段１１９４内の開放中フラグをオンにする。次に、ステップ２１０６で、継続判定遊技実行制御手段１１７５は、特別遊技関連情報一時記憶手段１１９４のフラグエリアを参照し、長開放フラグがオンであるか否かを判定する。ステップ２１０６でＹｅｓの場合、ステップ２１０８で、継続判定遊技実行制御手段１１７５は、
第１大入賞口
（ウ）「【０１０７】
　次に、図１７は、図１４におけるステップ２２００のサブルーチンに係る、振分遊技実行処理のフローチャートである。はじめに、本実施形態においては、
特別遊技実行中の所定ラウンド（本例では、第１及び１６ラウンド）において、当該特別遊技終了後の確率変動遊技状態移行可否を決定するための遊技（以下、振分遊技と呼ぶことがある）を実行可能に構成
【０１０８】
　他方、ステップ２２０２でＮｏの場合、即ち、振分遊技の実行開始直前である場合、まず、ステップ２２０４で、振分遊技実行制御手段１１７６は、特別遊技関連情報一時記憶手段１１９４内の開放中フラグをオンにする。次に、ステップ２２０６で、振分遊技実行制御手段１１７６は、特別遊技関連情報一時記憶手段１１９４のフラグエリアを参照し、長開放フラグがオンであるか否かを判定する。ステップ２２０６でＹｅｓの場合、ステップ２２０８で、振分遊技実行制御手段１１７６は、
第２大入賞口
【０１０９】
　次に、ステップ２２１２で、振分遊技実行制御手段１１７６は、振分遊技関連情報一時記手段１１９７内の
入賞球カウンタをゼロクリアする
第２大入賞口２２２０
【０１１０】
　次に、ステップ２２１６で、
振分遊技実行制御手段１１７６は、第２大入賞口入賞検出装置２２２１からの第２大入賞口入球情報に基づき、第２大入賞口２２２０にて所定球（例えば１０球）の入賞球があったか否かを判定する。
（エ）「【０１３８】
　また、本実施形態では継続入賞口と振分入賞口とを別個に設けるよう構成したが、これには限定されず、例えば、
継続領域及び特定領域を有していない通常の第１の大入賞口（大入賞口の開放中に入球がなかった場合にも次回のラウンドを実行する大入賞口）と、継続領域及び特定領域を有する第２の大入賞口と、を設けるよう構成してもよい。
　上記記載事項（ア）〜（ウ）より以下の事項が導かれる。
（ａ）上記（ア）には、「始動口（例えば、第１主遊技始動口２２１０又は第２主遊技始動口２１１０）への遊技球の入球に基づき、乱数を取得する乱数取得手段（例えば、第１主遊技乱数取得判定実行手段１１２１又は第２主遊技乱数取得判定実行手段１１２２）と、前記乱数に基づき、当否判定を実行する当否判定実行手段（例えば、当否抽選手段１１３５）」が記載され、これを整理すると、
　
始動口への遊技球の入球に基づき、乱数を取得し、当否判定を実行する当否判定実行手段
（ｂ）また、上記（ア）には、「当否判定実行手段（例えば、当否抽選手段１１３５）による当否判定結果が当選である場合、第一可変入賞口（例えば、第２大入賞口２２２０）及び第二可変入賞口（例えば、第１大入賞口２１２０）のいずれかを閉状態から開状態とする遊技であって、第一可変入賞口（例えば、第２大入賞口２２２０）又は第二可変入賞口（例えば、第１大入賞口２１２０）への所定個数の入球又は所定期間が経過するまで閉状態から開状態とし得る遊技である単位遊技（いわゆるラウンドであり、以下同じ）を複数回実行する特別遊技を実行し得る特別遊技実行手段（例えば、特別遊技実行手段１１７３）」と記載されており、これを整理すると、
　
当否判定実行手段による当否判定結果が当選である場合、第２大入賞口２２２０及び第１大入賞口２１２０のいずれかを閉状態から開状態とする遊技であって、該大入賞口を閉状態から開状態とし得る遊技である単位遊技（ラウンド）を複数回実行する特別遊技を実行し得る特別遊技実行手段
（ｃ）そして、上記（ア）には、「前記乱数に基づく抽選が実行可能である非特別遊技時の遊技状態として、通常遊技状態と通常遊技状態よりも遊技者にとって有利な特定遊技状態（例えば、いわゆる確率変動遊技状態や時間短縮遊技状態）とを有し、特別遊技の実行終了後において通常遊技状態及び特定遊技状態（例えば、いわゆる確率変動遊技状態や時間短縮遊技状態）のいずれかとする非特別遊技時遊技状態制御手段（例えば、特定遊技制御手段１１８０）とを備え、」と記載され、これを整理すると、
　
特別遊技の実行終了後において通常遊技状態及び特定遊技状態（確率変動遊技状態等）のいずれかとする特定遊技制御手段とを備え
（ｄ）さらに、上記（ア）には、「特別遊技実行手段（例えば、特別遊技実行手段１１７３）は、少なくとも初回の単位遊技については第一可変入賞口（例えば、第２大入賞口２２２０）を閉状態から開状態とし得る遊技とし、初回の単位遊技の実行に基づく第一可変入賞口（例えば、第２大入賞口２２２０）への遊技球の有無に拘わらず初回の単位遊技の実行後には次回の単位遊技を実行すると共に、当該次回以降のある単位遊技の実行後において更なる単位遊技の実行が予定されている状況下、当該ある単位遊技が第二可変入賞口（例えば、第１大入賞口２１２０）を閉状態から開状態とし得る遊技であって当該ある単位遊技の実行に基づく第二特定領域（例えば、継続領域２１２４）への入球があった場合には、当該ある単位遊技の実行後において更なる単位遊技を実行する一方、当該ある単位遊技が第二可変入賞口（例えば、第１大入賞口２１２０）を閉状態から開状態とし得る遊技であって当該ある単位遊技の実行に基づく第二特定領域（例えば、継続領域２１２４）への入球がなかった場合には、当該ある単位遊技の実行後において更なる単位遊技を実行せずに特別遊技の実行を終了し、」と記載されている。
　したがって、
特別遊技実行手段は、少なくとも初回の単位遊技については第２大入賞口２２２０を閉状態から開状態とし得る遊技とし、ある単位遊技の実行後において更なる単位遊技の実行が予定されている状況下、ある単位遊技が第１大入賞口２１２０を閉状態から開状態とし得る遊技であって当該ある単位遊技の実行に基づく継続領域２１２４への入球があった場合には、当該ある単位遊技の実行後において更なる単位遊技を実行する
（ｅ）また、上記（ア）には、「非特別遊技時遊技状態制御手段（例えば、特定遊技制御手段１１８０）は、特別遊技の実行中における第一可変入賞口（例えば、第２大入賞口２２２０）を閉状態から開状態とし得る単位遊技の実行に基づく第一特定領域（例えば、特定領域２２２４）への入球があったことを条件として、当該特別遊技の実行終了後において特定遊技状態（例えば、いわゆる確率変動遊技状態や時間短縮遊技状態）に移行させ得る」と記載され、これを整理すると、
　特定遊技制御手段は、第２大入賞口２２２０を閉状態から開状態とし得る単位遊技の実行に基づく特定領域２２２４への入球があったことを条件として、当該特別遊技の実行終了後において特定遊技状態（確率変動遊技状態等）に移行させ
　そして、上記（ウ）の【０１１０】には、「振分遊技実行制御手段１１７６は、第２大入賞口入賞検出装置２２２１からの第２大入賞口入球情報に基づき、第２大入賞口２２２０にて所定球（例えば１０球）の入賞球があったか否かを判定する。」と記載され、これから、
振分遊技実行制御手段は第２大入賞口２２２０の入賞球を計数している
（ｆ）上記（ｄ）で示した（ア）の記載事項と上記（イ）から、
　特別遊技実行手段は、所定ラウンド（第２〜１５ラウンド）において、第１大入賞口を開放することが記載されているといえる。
　また、同様に上記（ｄ）で示した（ア）の記載事項と上記（ウ）から、
　特別遊技実行手段は、所定ラウンド（第１及び１６ラウンド）において、第２大入賞口を開放することが記載されているといえる。
　したがって、
特別遊技実行手段は、所定ラウンドにおいて、第１大入賞口又は第２大入賞口を開放する
（ｇ）上記（ｆ）によれば、
第１大入賞口
第２大入賞口は
互いに同時に開放しないように構成されている
　したがって上記（ア）〜（ウ）の記載事項及び上記（ａ）〜（ｇ）の認定事項を総合すれば、刊行物１には以下の発明（以下、「引用発明」という。）が記載されている（ａ〜ｇについては、当審が分説するために付与した。）。
「ａ　始動口への遊技球の入球に基づき、乱数を取得し、当否判定を実行する当否判定実行手段と、
ｂ　当否判定実行手段による当否判定結果が当選である場合、第２大入賞口２２２０及び第１大入賞口２１２０のいずれかを閉状態から開状態とする遊技であって、該大入賞口への所定個数の入球又は所定期間が経過するまで閉状態から開状態とし得る遊技である単位遊技（ラウンド）を複数回実行する特別遊技を実行し得る特別遊技実行手段と、
ｃ　特別遊技の実行終了後において通常遊技状態及び特定遊技状態（確率変動遊技状態等）のいずれかとする特定遊技制御手段とを備え、
ｄ　特別遊技実行手段は、少なくとも初回の単位遊技については第２大入賞口２２２０を閉状態から開状態とし得る遊技とし、ある単位遊技の実行後において更なる単位遊技の実行が予定されている状況下、ある単位遊技が第１大入賞口２１２０を閉状態から開状態とし得る遊技であって当該ある単位遊技の実行に基づく継続領域２１２４への入球があった場合には、当該ある単位遊技の実行後において更なる単位遊技を実行し、
ｅ　振分遊技実行制御手段は第２大入賞口２２２０の入賞球を計数し、特定遊技制御手段は、第２大入賞口２２２０を閉状態から開状態とし得る単位遊技の実行に基づく特定領域２２２４への入球があったことを条件として、当該特別遊技の実行終了後において特定遊技状態（確率変動遊技状態等）に移行させ、
ｆ　特別遊技実行手段は、所定ラウンドにおいて第１大入賞口又は第２大入賞口を開放し、
ｇ　第１大入賞口と第２大入賞口は互いに同時に開放しないように構成されている、遊技機。」
（２−２）先願明細書等
　原査定の拒絶の理由で引用された、本願の出願の日前の他の特許出願であって、その出願後に出願公開がされた特願２０１４−１０１０７号（優先権主張日：平成２５年１月２４日）（特開２０１４−１５８７００号公報参照。以下「先願」という。）の願書に最初に添付した明細書、特許請求の範囲又は図面（以下「先願明細書等」という。）には、「遊技機」に関して次の事項が図面とともに記載されている（下線部は当審で付与した。）。
（ア）「【請求項１】
　
遊技盤に設けられた始動口と、
　遊技盤に設けられた大入賞装置と、
　始動口への入球に起因して大当りか否かの当否判定を実行する当否判定手段と、
　該当否判定手段の判定結果に応じて大当り図柄又はハズレ図柄を決定する図柄決定手段と、
　図柄を変動表示した後に前記大当り図柄又は前記ハズレ図柄を確定表示せしめて前記判定結果を報知する表示手段と、を具備し、
　
前記当否判定手段により大当りの判定がなされると所定の大入賞装置の開閉作動を１ラウンドとする遊技を複数ラウンドにわたり連続的に実行可能な特別遊技に移行する遊技機
　
大入賞装置の内部には、特別遊技中に遊技球が入球することにより、特別遊技の次のラウンドの継続条件を達成させる継続手段と、遊技球が入球することにより、特別遊技後に次回の大当りの獲得に有利な特典遊技を付与するための付与条件を達成させる特典手段
　前記特別遊技の大入賞装置の開放作動が所定のラウンド回数時にのみ前記特典手段を有効とすることを特徴とする遊技機。
【請求項２】
　請求項１に記載の遊技機において、
　
前記大入賞装置として、内部に前記継続手段である継続入球口を有する第１の大入賞装置とともに、内部に前記特典手段である特典入球口を有する第２の大入賞装置を具備し、前記所定のラウンド回数時に前記第２の大入賞装置を開放する
（イ）「【００２９】
　主制御装置４０は、裏配線中継端子板５３０および外部接続端子板３８を介して前記遊技施設のホールコンピュータ５００と電気的に接続される。また主制御装置４０には、裏配線中継端子板５３０や遊技盤中継端子板５３１を介して、前枠（ガラス枠）１１および内枠３０が開放しているか否か検出するガラス枠開放ＳＷ（スイッチ）５０１、内枠開放ＳＷ５０２、第１特図始動口２３Ａへの入球を検出する第１始動口ＳＷ５０３、第２特図始動口２３Ｂへの入球を検出する第２始動口ＳＷ５０４、普図の作動ゲート２２への入球を検出する普通図柄作動ＳＷ５０５、普通入賞口２６への入球を検出する入賞口ＳＷ５０６、第１大入賞装置２５Ａへの入球を検出する第１カウントＳＷ５０７、
第２大入賞装置２５Ｂへの入球を検出する第２カウントＳＷ５０８
（ウ）「【００５９】
　「特別遊技処理」は、図１１に示すように、先ずＳ４００の処理において、役物連続作動装置が作動中か確認し（Ｓ４００）、作動中であれば（Ｓ４００：ｙｅｓ）、Ｓ４０１の処理で第１又は第２大入賞装置２５Ａ，２５Ｂが開放中か確認する。
　Ｓ４０１の処理で第１又は第２大入賞装置２５Ａ，２５Ｂが開放中でなければ（Ｓ４０１：ｎｏ）、インターバル中か確認し（Ｓ４０２）、インターバル中でなければ（Ｓ４０２：ｎｏ）、大当り終了演出中か確認し（Ｓ４０３）、大当り終了演出中でなければ（Ｓ４０３：ｎｏ）、大当り開始演出時間が経過したか確認し（Ｓ４０４）、大当り開始演出時間が経過していれば（Ｓ４０４：ｙｅｓ）、Ｓ４０５の大入賞口開放処理において、最初の１Ｒ目は第１大入賞装置２５Ａを開放して、リターンする。
第１大入賞装置２５Ａの開放中に継続口２１０への入球が可能となり、継続口２１０が有効となる。
・・・
【００６４】
　一方、前記Ｓ４２２の処理で最終ラウンドでなければ（Ｓ４２２：ｎｏ）、前回のラウンドが１４Ｒであったか否かを確認し（Ｓ４２４）、１４Ｒでなければ（Ｓ４２４：ｎｏ）、Ｓ４２５の処理において第１大入賞装置２５Ａを開放する。
【００６５】
　一方、前記Ｓ４２４の処理で１４Ｒであれば（Ｓ４２４：ｙｅｓ）、Ｓ４２６の処理において最終ラウンド（１５Ｒ）として第２大入賞装置２５Ｂの開放処理を実行してリターンする。
第２大入賞装置２５Ｂの開放中に特典口２１１への入球が可能となり、特典口２１１が有効となる。
・・・
【００６７】
　続くＳ４３３の処理において、
特典口２１１への入球があったか否かを確認し、特別遊技終了後に確変遊技に移行するか否かを確認する
　確変遊技に移行するのであれば（Ｓ４３３：ｙｅｓ）、確変設定処理（Ｓ４２４）および確変フラグに「１」をセットする処理（Ｓ４３５）を行う。」
（エ）「【００７１】
　特別遊技では最大１５Ｒの遊技が可能である。
特別遊技の１Ｒから１４Ｒでは、第１大入賞装置２５Ａが開放され、各ラウンドに継続口２１０への入球により次のラウンドが実施される。
【００７２】
　
特別遊技の最終の１５Ｒでは第２大入賞装置２５Ｂを開放して、特典口２１１を有効としている。
　そして特
典口２１１への入球により、特別遊技終了後に確変遊技、時短遊技が付与される。
（オ）「【００７４】
　本パチンコ機１は、特別遊技において１Ｒから１４Ｒでは第１大入賞装置２５Ａを開放し、１５Ｒでは第２大入賞装置２５Ｂを開放する開放パターンとしたが、これに限らず、例えば、
１Ｒから８Ｒおよび１０Ｒから１５Ｒに第１大入賞装置２５Ａを開放し、９Ｒに第２大入賞装置２５Ｂを開放する開放パターンとしてもよい。この場合、特典口２１１には、特典の付与は勿論、特別遊技継続の機能を持たせる。
・・・・」
　上記（ア）〜（オ）の記載事項から以下の事項が導かれる。
（ａ）上記（ア）には、「
始動口への入球に起因して大当りか否かの当否判定を実行する当否判定手段
（ｂ）また、上記（ア）には、「
当否判定手段により大当りの判定がなされると所定の大入賞装置の開閉作動を１ラウンドとする遊技を複数ラウンドにわたり連続的に実行可能な特別遊技に移行する遊技機
（ｃ）そして、上記（ア）には、「
特別遊技後に次回の大当りの獲得に有利な特典遊技を付与するための付与条件を達成させる特典手段
（ｄ、ｅ）さらに、上記（ア）には、「
大入賞装置の内部には、特別遊技中に遊技球が入球することにより、特別遊技の次のラウンドの継続条件を達成させる継続手段と、遊技球が入球することにより、特別遊技後に次回の大当りの獲得に有利な特典遊技を付与するための付与条件を達成させる特典手段
　一方で、上記（オ）には、「１Ｒから８Ｒおよび１０Ｒから１５Ｒに第１大入賞装置２５Ａを開放し、９Ｒに第２大入賞装置２５Ｂを開放する開放パターンとしてもよい。この場合、
特典口２１１には、特典の付与は勿論、特別遊技継続の機能を持たせる。
　以上より、
大入賞装置は、第１大入賞装置と、入球を検出する第２カウントＳＷ５０８、内部に特別遊技中に遊技球が入球することにより、特別遊技の次のラウンドの継続条件を達成させる継続手段と、遊技球が入球することにより、特別遊技後に次回の大当りの獲得に有利な特典遊技を付与するための付与条件を達成させる特典手段を有する第２の大入賞装置から構成される
（ｆ、ｇ）上記（オ）に「１Ｒから８Ｒおよび１０Ｒから１５Ｒに第１大入賞装置２５Ａを開放し、９Ｒに第２大入賞装置２５Ｂを開放する開放パターンとしてもよい。」と記載されているからも、
第１大入賞装置又は第２大入賞装置は所定のラウンドに開放する
　また、１Ｒから８Ｒおよび１０Ｒから１５Ｒに第１大入賞装置を開放し、９Ｒに第２大入賞装置を開放するから、
第１大入賞装置と第２大入賞装置は互いに同時に開放することはない
　以上の（ア）〜（オ）の記載事項及び上記（ａ）〜（ｇ）の認定事項を総合すると、上記先願明細書等には、以下の発明（以下、「先願発明」という。）が記載されている（ａ〜ｇは当審で分説付与した。）。
「ａ　始動口への入球に起因して大当りか否かの当否判定を実行する当否判定手段を有し、
ｂ　当否判定手段により大当りの判定がなされると所定の大入賞装置の開閉作動を１ラウンドとする遊技を複数ラウンドにわたり連続的に実行可能な特別遊技に移行する遊技機において、
ｃ　特別遊技後に次回の大当りの獲得に有利な特典遊技を付与するための付与条件を達成させる特典手段と、
ｄ　大入賞装置は、第１大入賞装置と、
ｅ　入球を検出する第２カウントＳＷ５０８、内部に特別遊技中に遊技球が入球することにより、特別遊技の次のラウンドの継続条件を達成させる継続手段と、遊技球が入球することにより、特別遊技後に次回の大当りの獲得に有利な特典遊技を付与するための付与条件を達成させる特典手段を有する第２の大入賞装置とを備え、
ｆ　所定のラウンドにおいて、第１大入賞装置又は第２大入賞装置は開放し、
ｇ　第１大入賞装置と第２大入賞装置は互いに同時に開放しないように構成された遊技機。」
（３）対比１
　本願補正発明と上記（２−１）で認定した引用発明を対比する。
（ａ）引用発明の「始動口への遊技球の入球」は、本願補正発明の「始動条件の成立」に相当する。そして、引用発明の認定ｂより、当否判定の結果が当選である場合、第２大入賞口２２２０及び第１大入賞口２１２０のいずれかを閉状態から開状態とする特別遊技を実行する、すなわち、遊技者に有利な特別遊技を実行するから、
　引用発明の「始動口への遊技球の入球に基づき、乱数を取得し、当否判定を実行する当否判定実行手段」は、本願補正発明の「始動条件の成立により、遊技者に有利な特別遊技を実行するか否かを判定する判定手段」に相当する。
（ｂ）引用発明の「第２大入賞口２２２０及び第１大入賞口２１２０」は、本願補正発明の「入賞手段」に相当するから、
　引用発明の「当否判定実行手段による当否判定結果が当選である場合、第２大入賞口２２２０及び第１大入賞口２１２０のいずれかを閉状態から開状態とする遊技であって、該大入賞口を閉状態から開状態とし得る遊技である単位遊技（ラウンド）を複数回実行する特別遊技を実行し得る特別遊技実行手段」は、本願補正発明の「前記判定手段にて前記特別遊技を実行すると判定されると、入賞手段を開放する複数のラウンド遊技からなる前記特別遊技を実行する特別遊技実行手段」に相当する。
（ｃ）引用発明の「特別遊技の実行終了後において」「特定遊技状態（確率変動遊技状態等）」とすることは、本願補正発明の「特別遊技の実行後、遊技者に有利な遊技状態で遊技を制御可能」とすることに相当する。
　したがって、引用発明の「特別遊技の実行終了後において通常遊技状態及び特定遊技状態（確率変動遊技状態等）のいずれかとする特定遊技制御手段」は、本願補正発明の「前記特別遊技実行手段による前記特別遊技の実行後、遊技者に有利な遊技状態で遊技を制御可能な遊技制御手段」に相当する。
（ｄ、ｅ）引用発明の「第１大入賞口２１２０」、「第２大入賞口２２２０」はそれぞれ、本願補正発明の「第１入賞手段」、「第２入賞手段」に対応している。また、引用発明の「単位遊技」は、本願補正発明の「ラウンド遊技」に相当することは明らかである。
　ここで、引用発明の「特別遊技実行手段は」「ある単位遊技の実行後において更なる単位遊技の実行が予定されている状況下、ある単位遊技が第１大入賞口２１２０を閉状態から開状態とし得る遊技であって当該ある単位遊技の実行に基づく継続領域２１２４への入球があった場合には、当該ある単位遊技の実行後において更なる単位遊技を実行」すること、本願補正発明の「特別遊技実行手段による前記ラウンド遊技が継続性を有する構成の下、遊技球が通過することにより前記ラウンド遊技の継続が確定する継続確定手段」「を有する第２入賞手段」を対比する。
　引用発明の「ある単位遊技の実行後において更なる単位遊技の実行が予定されている状況下」は、本願補正発明の「ラウンド遊技が継続性を有する構成の下」に相当する。そして、引用発明の「特別遊技実行手段は」、「継続領域２１２４への入球があった場合には、当該ある単位遊技の実行後において更なる単位遊技を実行」するから、本願補正発明の「継続確定手段」に相当するといえる。また、引用発明の第１大入賞口２１２０（第１入賞手段）は「特別遊技実行手段」により制御されているから、「継続確定手段」を有しているといえる。
　したがって、引用発明は、本願補正発明の表現を用いれば、「特別遊技実行手段による前記ラウンド遊技が継続性を有する構成の下、遊技球が通過することにより前記ラウンド遊技の継続が確定する継続確定手段」を有する第１入賞手段を備えているといえる。
　そうすると、引用発明と本願補正発明は、「入賞手段」が「特別遊技実行手段による前記ラウンド遊技が継続性を有する構成の下、遊技球が通過することにより前記ラウンド遊技の継続が確定する継続確定手段」を有する点で共通する。
　次に、引用発明の「振分遊技実行制御手段は第２大入賞口２２２０の入賞球を計数」するから、引用発明の「振分遊技実行制御手段」は、本願補正発明の「第２入賞手段」が有する「入球した遊技球を計数する計数手段」に相当する。
　そして、引用発明の「特定遊技制御手段は、第２大入賞口２２２０を閉状態から開状態とし得る単位遊技の実行に基づく特定領域２２２４への入球があったことを条件として、当該特別遊技の実行終了後において特定遊技状態（確率変動遊技状態等）に移行させ」ることと、本願補正発明の「遊技球が通過することにより前記遊技制御手段による前記遊技者に有利な遊技状態への移行が確定する移行確定手段」「を有する第２入賞手段」を対比する。
　引用発明の「特定遊技制御手段は」、「特定領域２２２４への入球があったことを条件として、当該特別遊技の実行終了後において特定遊技状態（確率変動遊技状態等）に移行させ」るから、本願補正発明の「移行確定手段」に相当する。また、引用発明の第２大入賞口２２２０（第２入賞手段）は「特定遊技制御手段」により制御されているから、「移行確定手段」を有しているといえる。
（ｆ）引用発明の「特別遊技実行手段は、所定ラウンドにおいて第１大入賞口又は第２大入賞口を開放」することは、本願補正発明「特別遊技実行手段は、所定のラウンド遊技において、前記第１入賞手段又は前記第２入賞手段を開放」することに相当する。
（ｇ）そして、上記（ｆ）を前提として、引用発明の「第１大入賞口と第２大入賞口は互いに同時に開放しないように構成」することは、本願補正発明の「前記第１入賞手段と前記第２入賞手段とを互いに同時に開放しないよう構成」することに相当する。
　以上の（ａ）〜（ｇ）の対比より、本願補正発明と引用発明は、
「Ａ　始動条件の成立により、遊技者に有利な特別遊技を実行するか否かを判定する判定手段と、
Ｂ　前記判定手段にて前記特別遊技を実行すると判定されると、入賞手段を開放する複数のラウンド遊技からなる前記特別遊技を実行する特別遊技実行手段と、
Ｃ　前記特別遊技実行手段による前記特別遊技の実行後、遊技者に有利な遊技状態で遊技を制御可能な遊技制御手段と、を備え、
Ｄ’前記入賞手段は、
　　第１入賞手段と、
　　前記特別遊技実行手段による前記ラウンド遊技が継続性を有する構成の下、遊技球が通過することにより前記ラウンド遊技の継続が確定する継続確定手段と、
Ｅ’入球した遊技球を計数する計数手段、及び、遊技球が通過することにより前記遊技制御手段による前記遊技者に有利な遊技状態への移行が確定する移行確定手段を有する第２入賞手段と、から構成され、
Ｆ　前記特別遊技実行手段は、所定のラウンド遊技において、前記第１入賞手段又は前記第２入賞手段を開放すると共に、
Ｇ　前記第１入賞手段と前記第２入賞手段とを互いに同時に開放しないよう構成されていること、　を特徴とする遊技機。」である点で一致しており、次の点で相違する。
（相違点）
　特別遊技実行手段による前記ラウンド遊技が継続性を有する構成の下、遊技球が通過することにより前記ラウンド遊技の継続が確定する継続確定手段について、本願補正発明は第２入賞手段が有しているが、引用発明は第１入賞手段が有している点。
（４）判断１
　上記（２−１）の（エ）には、「継続領域及び特定領域を有していない通常の第１の大入賞口（大入賞口の開放中に入球がなかった場合にも次回のラウンドを実行する大入賞口）と、継続領域及び特定領域を有する第２の大入賞口と、を設けるよう構成してもよい。」と記載されている。これは、第２の大入賞口、すなわち、第２入賞手段にも継続領域を設けてもよいことであるから、継続確定手段を第２入賞手段が有することを示唆する記載である。
　したがって、引用発明に刊行物１に記載の上記記載事項、すなわち、継続確定手段を第２入賞手段が有する構成を採用し、本願補正発明のようにすることは当業者が容易になし得ることである。
　そして、本願補正発明の作用効果も引用発明及び刊行物１に記載された事項からみて格別のものではない。
　よって、本願補正発明は引用発明及び刊行物１に記載された事項に基づいて当業者が容易に想到し得たものである。
（５）対比２、判断２
　次に、上記とは別の理由についての検討も付け加える。
　そこで、本願補正発明と先願発明とを対比する。
（ａ）先願発明の「始動口への入球」は、本願補正発明の「始動条件の成立」に相当する。そして、先願発明の認定ｂによると先願発明の「大当り」は特別遊技の移行を意味し、遊技者に有利な特別遊技を実行を可能とする。
　したがって、先願発明の「始動口への入球に起因して大当りか否かの当否判定を実行する当否判定手段」は本願補正発明の「始動条件の成立により、遊技者に有利な特別遊技を実行するか否かを判定する判定手段」に相当する。
（ｂ）先願発明は「当否判定手段により大当りの判定がなされると所定の大入賞装置の開閉作動を１ラウンドとする遊技を複数ラウンドにわたり連続的に実行可能な特別遊技に移行する」から、特別遊技を実行する手段を備えていることは明らかである。
　したがって、先願発明は本願補正発明の「前記判定手段にて前記特別遊技を実行すると判定されると、入賞手段を開放する複数のラウンド遊技からなる前記特別遊技を実行する特別遊技実行手段」を備えているといえる。
（ｃ）先願発明の「次回の大当りの獲得に有利な特典遊技」は、本願補正発明の「特別遊技の実行後、遊技者に有利な遊技状態」での「遊技」に相当する。そして、引用発明の「特典遊技付与手段」は、本願補正発明の「遊技者に有利な遊技状態で遊技を制御可能な遊技制御手段」の機能を備えているといえる。
（ｄ）先願発明の「大入賞装置」、「第１大入賞装置」、「第２大入賞装置」及び「第２大入賞装置」に「遊技球が入球すること」は、それぞれ、本願補正発明の「入賞手段」、「第１入賞手段」、「第２入賞手段」及び「第２入賞手段」に「遊技球が通過すること」に相当することは明らかである。
（ｅ）先願発明の「入球を検出する第２カウントＳＷ５０８」は、計測スイッチであるから、本願補正発明の「入球した遊技球を計数する計数手段」に相当する。
　また、先願発明の「継続手段」、「特典手段」はそれぞれ、本願補正発明の「継続確定手段」、「移行確定手段」に相当するから、
　先願発明の「内部に特別遊技中に遊技球が入球することにより、特別遊技の次のラウンドの継続条件を達成させる継続手段と、遊技球が入球することにより、特別遊技後に次回の大当りの獲得に有利な特典遊技を付与するための付与条件を達成させる特典手段を有する第２の大入賞装置」は、
　本願補正発明の「前記特別遊技実行手段による前記ラウンド遊技が継続性を有する構成の下、遊技球が通過することにより前記ラウンド遊技の継続が確定する継続確定手段、及び、遊技球が通過することにより前記遊技制御手段による前記遊技者に有利な遊技状態への移行が確定する移行確定手段を有する第２入賞手段」に相当する。
（ｆ）上記（ｂ）のとおり、先願発明も「特別遊技実行手段」を備えることは明らかであるので、先願発明は本願補正発明の「前記特別遊技実行手段は、所定のラウンド遊技において、前記第１入賞手段又は前記第２入賞手段を開放する」構成を備えている。
（ｇ）先願発明も本願補正発明同様に「第１入賞手段と前記第２入賞手段とを互いに同時に開放しないよう構成され」ていることは明らかである。
　以上の（ａ）〜（ｇ）の対比のとおりであるから、本願補正発明と先願発明は、
「Ａ　始動条件の成立により、遊技者に有利な特別遊技を実行するか否かを判定する判定手段と、
Ｂ　前記判定手段にて前記特別遊技を実行すると判定されると、入賞手段を開放する複数のラウンド遊技からなる前記特別遊技を実行する特別遊技実行手段と、
Ｃ　前記特別遊技実行手段による前記特別遊技の実行後、遊技者に有利な遊技状態で遊技を制御可能な遊技制御手段と、を備え、
Ｄ　前記入賞手段は、
　第１入賞手段と、
Ｅ　入球した遊技球を計数する計数手段、前記特別遊技実行手段による前記ラウンド遊技が継続性を有する構成の下、遊技球が通過することにより前記ラウンド遊技の継続が確定する継続確定手段、及び、遊技球が通過することにより前記遊技制御手段による前記遊技者に有利な遊技状態への移行が確定する移行確定手段を有する第２入賞手段と、から構成され、
Ｆ　前記特別遊技実行手段は、所定のラウンド遊技において、前記第１入賞手段又は前記第２入賞手段を開放すると共に、
Ｇ　前記第１入賞手段と前記第２入賞手段とを互いに同時に開放しないよう構成されている遊技機。」
である点で一致し、相違点はない。
　そうすると、本願補正発明は先願発明と同一であり、先願明細書等に記載された発明であるということができる。
　なお、審判請求人は請求書において、
　「本願発明のＥと、引用文献２に記載の発明のＥ’とは一致するように見えなくもありません。
　しかしながら、本願発明の継続確定手段と移行確定手段が別体であるのに対し（段落［０２２３］〜［０２２７］）、引用文献２（先願発明）に記載の発明の継続確定手段と移行確定手段は、一つの特典口２１１に両方の機能を持たせています。」と主張している。
　しかしながら、本願補正発明においては、第２入賞手段が継続確定手段と、移行確定手段とを有することが特定されているものの、これらの手段が別体であることまでが特定されているとは認められない。
　したがって、請求人の上記主張は採用することができない。
（６）まとめ
　よって、上記判断１、２で示したとおり、本願補正発明は、特許法第２９条第２項の規定又は特許法第２９条の２の規定により特許出願の際独立して特許を受けることができない。
４．むすび
　以上のとおり、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本件補正は、上記第２のとおり却下されたので、本願の請求項１に係る発明は、平成２７年９月７日付けの手続補正書の特許請求の範囲の請求項１に記載された事項により特定される発明（以下、「本願発明」という。）は次のとおりのものである。
　「【請求項１】
　始動条件の成立により、遊技者に有利な特別遊技を実行するか否かを判定する判定手段と、
　前記判定手段にて前記特別遊技を実行すると判定されると、入賞手段を開放する複数のラウンド遊技からなる前記特別遊技を実行する特別遊技実行手段と、
　前記特別遊技実行手段による前記特別遊技の実行後、遊技者に有利な遊技状態で遊技を制御可能な遊技制御手段と、を備え、
　前記入賞手段は、第１入賞手段、および、入球した遊技球を計数する計数手段、前記特別遊技実行手段による前記特別遊技が継続性を有する構成の下、遊技球が通過することにより前記特別遊技の継続が確定する継続確定手段、及び、遊技球が通過することにより前記遊技制御手段による前記遊技者に有利な遊技状態への移行が確定する移行確定手段を有する第２入賞手段から構成され、
　前記特別遊技実行手段は、所定のラウンド遊技において、前記第２入賞手段を開放するよう構成されていること、
　を特徴とする遊技機。」
１．先願明細書等
　上記第２の（２−２）で示したとおり、先願明細書等には先願発明が記載されている。
２．対比、判断
　上記第１の２．補正の適否で検討したとおり、本願発明は、上記第１の１．の下線部の構成を本願補正発明から実質的に省いたものである。なお、誤記に関する「特別遊技」と「ラウンド」については、補正前も補正後と同様の解釈をすることとする。
　そうすると、本願発明の発明特定事項をすべて含み、さらに、他の発明特定事項を付加したものに相当する本願補正発明が、上記第２の検討のとおり、先願発明と同一であるから、本願発明も、同様に、先願発明と同一であり、先願明細書等に記載された発明であるといえる。
３．むすび
　以上のとおり、本願発明は、特許法第２９条の２の規定に該当し、特許を受けることができないものである。
　よって、結論のとおり審決する。